(57)【要約】【課題】下側筐体に対する上側筐体の開閉をより安全に行う。【解決手段】プリンタ部が内蔵された下側筐体５０と、下側筐体５０にヒンジ部を介して連結された上側筐体７０と、上側筐体７０の下面に設けられ、上端部が上記ヒンジ部の回転軸に平行な回転軸を中心に回動可能に固定され、下端部が下側筐体５０に係合して、上側筐体７０を支持するスタンド６０ａとを備え、スタンド６０ａの下端部には、ヒンジ部の回転軸に平行な方向に突出する凸部６１ａが設けられ、下側筐体５０には、上側筐体７０を引き上げたときに凸部６１ａを挟み込み、上側筐体７０を押し下げたときに凸部６１ａの挟み込みを解除する着脱機構Ｄが設けられている。【選択図】図４
2017177649.tif 000002
【特許請求の範囲】
【請求項１】
プリンタ部が内蔵された下側筐体と、
上記下側筐体にヒンジ部を介して連結された上側筐体と、
上記上側筐体の下面に設けられ、上端部が上記ヒンジ部の回転軸に平行な回転軸を中心に回動可能に固定され、下端部が上記下側筐体に係合して、上記上側筐体を支持するスタンドとを備えた画像形成装置であって、
上記スタンドの下端部には、上記ヒンジ部の回転軸に平行な方向に突出する凸部が設けられ、
上記下側筐体には、上記上側筐体を引き上げたときに上記凸部を挟み込み、上記上側筐体を押し下げたときに上記凸部の挟み込みを解除する着脱機構が設けられていることを特徴とする画像形成装置。
【請求項２】
請求項１に記載された画像形成装置において、
上記着脱機構は、上記凸部を収容する収容空間と、該収容空間に連続して形成され、上記凸部を該収容空間の外内に出入りさせる出入口とを備え、
上記収容空間は、上記出入口に向かって絞られように設けられていることを特徴とする画像形成装置。
【請求項３】
請求項２に記載された画像形成装置において、
上記収容空間は、上記凸部の側面の一方側に当接する第１当接部と、上記凸部の側面の他方側に当接する第２当接部とに囲まれていることを特徴とする画像形成装置。
【請求項４】
請求項３に記載された画像形成装置において、
上記第１当接部は、上記収容空間と反対側に形成されたスリットにより弾性変形可能に設けられていることを特徴とする画像形成装置。
【請求項５】
請求項３又は４に記載された画像形成装置において、
上記凸部は、円柱状に形成され、
上記凸部に当接する上記第１当接部及び上記第２当接部の各当接面は、上記凸部の側面に対応するように曲面状に形成されていることを特徴とする画像形成装置。
【請求項６】
請求項３又は４に記載された画像形成装置において、
上記凸部は、角部が面取りされた四角柱状に形成され、
上記凸部に当接する上記第１当接部及び上記第２当接部の各当接面は、曲面状に形成されていることを特徴とする画像形成装置。
【請求項７】
請求項３〜６の何れか１つに記載された画像形成装置において、
上記凸部は、上記下側筐体内で上記第１当接部に連続して形成されたガイド部に沿って摺動可能に設けられ、
上記スタンドは、弾性部材により上記ガイド部側に付勢されていることを特徴とする画像形成装置。
【請求項８】
請求項１〜７の何れか１つに記載された画像形成装置において、
上記スタンドには、上記上側筐体を引き上げて上記着脱機構が上記凸部を挟み込んだときに上記下側筐体に形成された突出片に係合して、該スタンドの下降を抑制する下降抑制部が設けられていることを特徴とする画像形成装置。
【請求項９】
請求項１〜８の何れか１つに記載された画像形成装置において、
上記スタンドの下端部には、上記凸部が一対設けられ、
上記下側筐体には、上記着脱機構が一対設けられていることを特徴とする画像形成装置。
【請求項１０】
請求項１〜９の何れか１つに記載された画像形成装置において、
上記上側筐体には、スキャナ部が内蔵されていることを特徴とする画像形成装置。
【発明の詳細な説明】
【技術分野】
【０００１】
本発明は、画像形成装置に関するものである。
【背景技術】
【０００２】
近年、プリンタ装置や複写機等の画像形成装置では、原稿を読み取るスキャナ部と、スキャナ部で読み取った画像や外部から入力されたデータに基づく画像等を印刷するプリンタ部とを備えたものが主流になっている。
【０００３】
例えば、特許文献１には、用紙搬送装置の機構部を主として内蔵する下部本体と、画像形成プロセス装置の機構部を主として内蔵する上部本体とを備え、揺動中心軸を中心として上部本体を下部本体から開放可能なクラムシェル型の画像形成装置が開示されている。
【先行技術文献】
【特許文献】
【０００４】
【特許文献１】特開平７−４４０８２号公報
【発明の概要】
【発明が解決しようとする課題】
【０００５】
ところで、スキャナ部が内蔵された上側筐体と、プリンタ部が内蔵された下側筐体とがそれらの端縁でヒンジ部を介して連結された画像形成装置では、上側筐体をスタンドで支持することにより、下側筐体に対して上側筐体を開けた状態にして、例えば、下側筐体内のプリンタ部のメンテナンスを行うことがある。ここで、上記スタンドは、その上端部が上側筐体の下面に回動可能に固定され、その下端部が下側筐体の上面に着脱可能に固定される構成を取ることが多い。そのため、例えば、下側筐体内のプリンタ部のメンテナンスを行った後に、下側筐体に対して上側筐体を閉じる際には、下側筐体からスタンドの下端部を取り外すために、上側筐体と下側筐体との間に手を入れる必要がある。そうなると、例えば、下側筐体からスタンドの下端部を取り外している間に、上側筐体が倒れることにより、上側筐体と下側筐体との間に手を挟む危険性がある。
【０００６】
本発明は、かかる点に鑑みてなされたものであり、その目的とするところは、下側筐体に対する上側筐体の開閉をより安全に行うことにある。
【課題を解決するための手段】
【０００７】
上記目的を達成するために、本発明は、上側筐体を引き上げたときにスタンドの下端部の凸部を挟み込み、上側筐体を押し下げたときにその凸部の挟み込みを解除する着脱機構を下側筐体に設けるようにしたものである。
【０００８】
具体的に本発明に係る画像形成装置は、プリンタ部が内蔵された下側筐体と、上記下側筐体にヒンジ部を介して連結された上側筐体と、上記上側筐体の下面に設けられ、上端部が上記ヒンジ部の回転軸に平行な回転軸を中心に回動可能に固定され、下端部が上記下側筐体に係合して、上記上側筐体を支持するスタンドとを備えた画像形成装置であって、上記スタンドの下端部には、上記ヒンジ部の回転軸に平行な方向に突出する凸部が設けられ、上記下側筐体には、上記上側筐体を引き上げたときに上記凸部を挟み込み、上記上側筐体を押し下げたときに上記凸部の挟み込みを解除する着脱機構が設けられていることを特徴とする。
【０００９】
上記の構成によれば、画像形成装置は、プリンタ部が内蔵された下側筐体と、その下側筐体にヒンジ部を介して連結された上側筐体と、その上側筐体の下面に設けられたスタンドとを備えている。ここで、スタンドは、その上端部がヒンジ部の回転軸に平行な回転軸を中心に回動可能に固定され、その下端部が下側筐体に係合して、上側筐体を支持するように構成されている。そして、スタンドの下端部には、ヒンジ部の回転軸に平行な方向に突出する凸部が設けられている。また、スタンドの下端部が係合する下側筐体には、上側筐体を引き上げたときにスタンドの下端部に設けられた凸部を挟み込み、上側筐体を押し下げたときにその凸部の挟み込みを解除する着脱機構が設けられている。そのため、下側筐体に対して上側筐体を開ける際には、上側筐体を引き上げるだけで、着脱機構によるスタンドの下端部に設けられた凸部の挟み込みが行われるので、スタンドにより上側筐体が下側筐体に確実に支持される。また、下側筐体に対して上側筐体を閉じる際には、上側筐体を押し下げるだけで着脱機構によるスタンドの下端部に設けられた凸部の挟み込みが解除されるので、上側筐体と下側筐体との間に手を入れる必要がない。これにより、下側筐体に対して上側筐体を開閉する際に、上側筐体と下側筐体との間に手を挟む危険性が低くなるので、下側筐体に対する上側筐体の開閉をより安全に行うことができる。
【００１０】
上記着脱機構は、上記凸部を収容する収容空間と、該収容空間に連続して形成され、上記凸部を該収容空間の外内に出入りさせる出入口とを備え、上記収容空間は、上記出入口に向かって絞られように設けられていてもよい。
【００１１】
上記の構成によれば、着脱機構は、スタンドの下端部に設けられた凸部を収容する収容空間と、その収容空間に連続して形成された出入口とを備えている。ここで、収容空間は、出入口に向かって絞られように設けられているので、着脱機構によって挟み込んで収容空間内に収容されたスタンドの下端部の凸部の収容空間からの脱離を抑制することができる。また、出入口から収納空間にスタンドの下端部に設けられた凸部を移動させることにより、スタンドの下端部に設けられた凸部を収容空間に収容した感触（クリック感）が得られるので、スタンドの下端部に設けられた凸部の着脱機構による挟み込みを認識し易くすることができる。
【００１２】
上記収容空間は、上記凸部の側面の一方側に当接する第１当接部と、上記凸部の側面の他方側に当接する第２当接部とに囲まれていてもよい。
【００１３】
上記の構成によれば、収容空間は、スタンドの下端部に設けられた凸部における側面の一方側に当接する第１当接部と、その凸部における側面の他方側に当接する第２当接部とに囲まれているので、スタンドの下端部に設けられた凸部を第１当接部と第２当接部とで挟み込むことにより、スタンドの下端部に設けられた凸部の着脱機構による挟み込みを実現することができる。
【００１４】
上記第１当接部は、上記収容空間と反対側に形成されたスリットにより弾性変形可能に設けられていてもよい。
【００１５】
上記の構成によれば、第１当接部は、収容空間と反対側に形成されたスリットにより弾性変形可能に設けられているので、着脱機構の出入口が絞られていても、第１当接部が弾性変形することにより、着脱機構の出入口が一時的に拡がって、スタンドの下端部に設けられた凸部を収容空間に収容し易くすることができる。
【００１６】
上記凸部は、円柱状に形成され、上記凸部に当接する上記第１当接部及び上記第２当接部の各当接面は、上記凸部の側面に対応するように曲面状に形成されていてもよい。
【００１７】
上記の構成によれば、スタンドの下端部に円柱状に設けられた凸部に当接する第１当接部及び第２当接部の各当接面は、その凸部の側面に対応するように曲面状に形成されている。そのため、第１当接部及び第２当接部の各当接面とスタンドの下端部の凸部の側面との接触する面積が大きくなるので、スタンドの下端部に設けられた凸部を第１当接部及び第２当接部で安定して保持することができる。
【００１８】
上記凸部は、角部が面取りされた四角柱状に形成され、上記凸部に当接する上記第１当接部及び上記第２当接部の各当接面は、曲面状に形成されていてもよい。
【００１９】
上記の構成によれば、スタンドの下端部に設けられた凸部は、角部が面取りされた四角柱状に形成されているので、第１当接部及び第２当接部の曲面状に形成された各当接面に対して、凸部が略四角柱状に形成されていても、スタンドの下端部に設けられた凸部を収容空間の外内に滑らかに出入りさせることができる。
【００２０】
上記凸部は、上記下側筐体内で上記第１当接部に連続して形成されたガイド部に沿って摺動可能に設けられ、上記スタンドは、弾性部材により上記ガイド部側に付勢されていてもよい。
【００２１】
上記の構成によれば、スタンドの下端部の凸部は、下側筐体内で第１当接部に連続して形成されたガイド部に沿って摺動可能に設けられていると共に、スタンドは、弾性部材によりガイド部側に付勢されている。そのため、スタンドの下端部に設けられた凸部を、例えば、互いに平行に配置された一対のガイド部の間で摺動させる構造でなくても、１つのガイド部に沿って摺動させることができるので、下側筐体の内部構造を簡略化することができる。
【００２２】
上記スタンドには、上記上側筐体を引き上げて上記着脱機構が上記凸部を挟み込んだときに上記下側筐体に形成された突出片に係合して、該スタンドの下降を抑制する下降抑制部が設けられていてもよい。
【００２３】
上記の構成によれば、スタンドには、下側筐体に対して上側筐体を開ける際に上側筐体を引き上げて着脱機構がその下端部の凸部を挟み込んだときに下側筐体の突出片に係合して、スタンドの下降を抑制する下降抑制部が設けられている。そのため、下側筐体の着脱機構によるスタンドの下端部に設けられた凸部の挟み込みと、下側筐体の突出片に対するスタンドの下降抑制部の係合との双方により、上側筐体が下側筐体に支持されるので、スタンドによる下側筐体への上側筐体の支持をより確実にすることができる。
【００２４】
上記スタンドの下端部には、上記凸部が一対設けられ、上記下側筐体には、上記着脱機構が一対設けられていてもよい。
【００２５】
上記の構成によれば、スタンドの下端部には、凸部が一対設けられていると共に、下側筐体には、着脱機構が一対設けられているので、着脱機構によるスタンドの下端部に設けられた凸部の挟み込みが二重になり、スタンドによる下側筐体への上側筐体の支持をより確実にすることができる。
【００２６】
上記上側筐体には、スキャナ部が内蔵されていてもよい。
【００２７】
上記の構成によれば、上側筐体には、スキャナ部が内蔵されているので、上側筐体が重くなっても、下側筐体に対する上側筐体の開閉をより安全に行うことができる。
【発明の効果】
【００２８】
本発明によれば、上側筐体を引き上げたときにスタンドの下端部の凸部を挟み込み、上側筐体を押し下げたときにその凸部の挟み込みを解除する着脱機構が下側筐体に設けられているので、下側筐体に対する上側筐体の開閉をより安全に行うことができる。
【図面の簡単な説明】
【００２９】
【図１】本発明の実施形態１に係る画像形成装置の閉じた状態の側面図である。
【図２】本発明の実施形態１に係る画像形成装置の開けた状態の側面図である。
【図３】本発明の実施形態１に係る画像形成装置の開けた状態の斜視図である。
【図４】本発明の実施形態１に係る画像形成装置の閉じた状態の要部断面図である。
【図５】本発明の実施形態１に係る画像形成装置の開けた状態の要部断面図である。
【図６】本発明の実施形態２に係る画像形成装置の開けた状態の要部断面図である。
【図７】本発明の実施形態３に係る画像形成装置の開けた状態の要部斜視図である。
【図８】本発明の実施形態３に係る画像形成装置を構成するスタンドの正面図である。
【図９】本発明の実施形態３に係る画像形成装置の閉じた状態の要部断面図である。
【図１０】本発明の実施形態３に係る画像形成装置の開けた状態の要部断面図である。
【発明を実施するための形態】
【００３０】
以下、本発明の実施形態を図面に基づいて詳細に説明する。なお、本発明は、以下の各実施形態に限定されるものではない。
【００３１】
《発明の実施形態１》
図１〜図５は、本発明に係る画像形成装置の実施形態１を示している。なお、以下の各実施形態では、画像形成装置として、スキャナ機能を有するプリンタ装置を例示する。ここで、図１及び図２は、本実施形態のプリンタ装置１００の閉じた状態及び開けた状態の側面図である。また、図３は、プリンタ装置１００の開けた状態の斜視図である。また、図４及び図５は、プリンタ装置１００の閉じた状態及び開けた状態の要部断面図である。
【００３２】
プリンタ装置１００は、図１〜図３に示すように、例えば、上面の一部、正面の一部及び背面の一部が開口する略直方体状の箱形に形成された下側筐体５０と、上面の一部及び正面の一部が開口する略直方体状の箱形に形成された上側筐体７０とを備えている。また、画像形成装置１００は、図１及び図２に示すように、下側筐体５０と、上側筐体７０とがヒンジ部５５を介して連結され、開閉に可能に構成されている。さらに、画像形成装置１００は、図２及び図３に示すように、上側筐体７０の下面に設けられたスタンド６０ａを備えている。
【００３３】
スタンド６０ａは、図２に示すように、その上端部がヒンジ部５５の回転軸Ｓａに平行な回転軸Ｓｂを中心に回動可能に上側筐体７０の下面に固定されている。そして、スタンド６０ａは、後述するように、その下端部が下側筐体５０に係合して、上側筐体７０を支持するように構成されている。また、スタンド６０ａは、図５に示すように、弾性部材として設けられたねじりばね６５により正面側に付勢されている。
【００３４】
スタンド６０ａの下端部の両側面には、図４及び図５に示すように、ヒンジ部５５の回転軸Ｓａに平行な方向に突出する凸部６１ａがそれぞれ設けられている。ここで、凸部６１ａは、図４及び図５に示すように、円柱状に形成され、その頂部が面取りされている。
【００３５】
下側筐体５０には、図３に示すように、プリンタ部４０が内蔵されている。ここで、プリンタ部４０は、図３に示すように、黒用インクカートリッジ１及びカラー用インクカートリッジ２が搭載されたキャリッジ５と、キャリッジ５をキャリアフレーム６に沿って適宜摺動移動させるための環状のタイミングベルト７とを備えている。また、プリンタ部４０は、図３に示すように、後述する給紙トレー９１上の記録紙を黒用インクカートリッジ１及びカラー用インクカートリッジ２のプリントヘッド側に送り出す給紙ローラ１１と、給紙ローラ１１に記録紙を押し付ける押圧ローラ１２とを備えている。さらに、プリンタ部４０は、図３に示すように、印刷された記録紙を排紙トレー１５側に送り出すために、記録紙の裏側及び表側（印刷面側）に設けられた排紙ローラ１３及びスターローラ（不図示）を備えている。なお、排紙トレー１５は、下側筐体５０の底部から適宜引き出されるように設けられている。また、下側筐体５０の背面の開口部分には、背面側の紙詰まりの際に取り外し可能な背面カバーが設けられている。
【００３６】
下側筐体５０には、上側筐体７０を引き上げたときに、図５に示すように、一対の凸部６１ａを挟み込み、上側筐体７０を押し下げたときに、図４に示すように、一対の凸部６１ａの挟み込みを解除する一対の着脱機構Ｄが設けられている。
【００３７】
着脱機構Ｄは、図４に示すように、凸部６１ａを収容する収容空間Ｃと、収容空間Ｃに連続して形成されて凸部６１ａを収容空間Ｃの外内に出入りさせる出入口Ｅとを備えている。
【００３８】
収容空間Ｃは、図４に示すように、凸部６１ａの直径よりも出入口Ｅを狭く設計することにより、出入口Ｅに向かって絞られように設けられている。また、収容空間Ｃは、図４及び図５に示すように、凸部６１ａの周壁の正面側に当接する第１当接部４９と、凸部６１ａの周壁の背面側に当接する第２当接部５１とに囲まれている。
【００３９】
第１当接部４９は、下側筐体５０を構成する下側部材により形成され、図４及び図５に示すように、凸部６１ａの周壁に対応（嵌合）するように曲面状の当接面を有している。また、第１当接部４９は、図４及び図５に示すように、収容空間Ｃと反対側に形成されたスリット４８により、弾性変形可能に設けられている。また、第１当接部４９には、鉛直方向に連続して延びるようにガイド部Ｇが設けられている。ここで、スタンド６０ａの下端部の凸部６１ａは、ねじりばね６５により正面側（ガイド部Ｇ側）に付勢された状態で、下側筐体５０内でガイド部Ｇに沿って摺動可能に設けられている。
【００４０】
第２当接部５１は、下側筐体５０を構成する上側部材により形成され、図４及び図５に示すように、凸部６１ａの周壁に対応（嵌合）するように曲面状の当接面を有している。
【００４１】
上側筐体７０には、図４に示すように、スキャナ部８０が内蔵されている。ここで、スキャナ部８０は、例えば、上側筐体７０の上面の開口部分に設けられて読み取り原稿を載置する原稿台と、その原稿台の下側に設けられた読み取り部と、その読み取り部を適宜平行移動させる駆動機構とを備えている。また、上側筐体７０には、図１〜図３に示すように、スキャナ部８０の原稿台を適宜覆うように、ヒンジ部（不図示）を介して連結されたスキャナカバー９０が設けられている。さらに、上側筐体７０には、図１〜図３に示すように、下側筐体５０内のプリンタ部４０に供給する記録紙を載置するための給紙トレー９１が設けられている。
【００４２】
上記構成のプリンタ装置１００は、給紙トレー９１から送り出されて給紙ローラ１１及び押圧ローラ１２の間からプリンタヘッドの下側で供給された記録紙に画像等を印刷した後に、印刷された記録紙を排紙ローラ１３及びスターローラの間から排出トレー１５上に排出するように構成されている。
【００４３】
また、上記構成のプリンタ装置１００は、スキャナカバー９０を開けて露出させた原稿台上に原稿を載置し、スキャナカバー９０を閉じた後に、原稿を読み取るように構成されている。
【００４４】
また、上記構成のプリンタ装置１００は、上側筐体７０を引き上げて開けた状態にし、例えば、下側筐体５０内のプリント部４０のインクカートリッジ１及び２を交換したり、プリント部４０の正面側に詰まった紙を取り除いたりするメンテナンスを行った後に、上側筐体７０を押し下げて閉じた状態にするように構成されている。
【００４５】
以上説明したように、本実施形態のプリンタ装置１００によれば、プリンタ装置１００は、プリンタ部４０が内蔵された下側筐体５０と、下側筐体５０にヒンジ部５５を介して連結された上側筐体７０と、上側筐体７０の下面に設けられたスタンド６０ａとを備えている。ここで、スタンド６０ａは、その上端部がヒンジ部５５の回転軸Ｓａに平行な回転軸Ｓｂを中心に回動可能に固定され、その下端部が下側筐体５０に係合して、上側筐体７０を支持するように構成されている。そして、スタンド６０ａの下端部には、ヒンジ部５５の回転軸Ｓａに平行な方向に突出する凸部６１ａが設けられている。また、スタンド６０ａの下端部が係合する下側筐体５０には、上側筐体７０を引き上げたときに凸部６１ａを挟み込み、上側筐体７０を押し下げたときに凸部６１ａの挟み込みを解除する着脱機構Ｄが設けられている。そのため、下側筐体５０に対して上側筐体７０を開ける際には、上側筐体７０を引き上げるだけで、着脱機構Ｄによる凸部６１ａの挟み込みが行われるので、スタンド６０ａにより上側筐体７０が下側筐体５０に確実に支持される。また、下側筐体５０に対して上側筐体７０を閉じる際には、上側筐体７０を押し下げるだけで着脱機構Ｄによる凸部６１ａの挟み込みが解除されるので、上側筐体７０と下側筐体５０との間に手を入れる必要がない。これにより、下側筐体５０に対して上側筐体７０を開閉する際に、上側筐体７０と下側筐体５０との間に手を挟む危険性が低くなるので、下側筐体５０に対する上側筐体７０の開閉をより安全に行うことができる。
【００４６】
また、本実施形態のプリンタ装置１００によれば、着脱機構Ｄは、凸部６１ａを収容する収容空間Ｃと、収容空間Ｃに連続して形成された出入口Ｅとを備えている。ここで、収容空間Ｃは、出入口Ｅに向かって絞られように設けられているので、着脱機構Ｄによって挟み込んで収容空間Ｃ内に収容された凸部６１ａの収容空間Ｃからの脱離を抑制することができる。また、出入口Ｅから収納空間Ｃに凸部６１ａを移動させることにより、収容空間Ｃに凸部６１ａを収容した感触（クリック感）が得られるので、着脱機構Ｄによる凸部６１ａの挟み込みを認識し易くすることができる。
【００４７】
また、本実施形態のプリンタ装置１００によれば、収容空間Ｃは、凸部６１ａにおける側面の一方側に当接する第１当接部４９と、凸部６１ａにおける側面の他方側に当接する第２当接部５１とに囲まれているので、第１当接部４９と第２当接部５１とで凸部６１ａを挟み込むことにより、着脱機構Ｄによる凸部６１ａの挟み込みを実現することができる。
【００４８】
また、本実施形態のプリンタ装置１００によれば、第１当接部４９は、収容空間Ｃと反対側に形成されたスリット４８により弾性変形可能に設けられているので、着脱機構Ｄの出入口Ｅが絞られていても、第１当接部４９が弾性変形することにより、出入口Ｅが一時的に拡がって、収容空間Ｃに凸部６１ａを収容し易くすることができる。
【００４９】
また、本実施形態のプリンタ装置１００によれば、凸部６１ａに当接する第１当接部４９及び第２当接部５１の各当接面は、凸部６１ａの周壁に嵌合するように曲面状に形成されている。そのため、第１当接部４９及び第２当接部５１の各当接面と凸部６１ａの側面との接触する面積が大きくなるので、第１当接部４９及び第２当接部５１で凸部６１ａを安定して保持することができる。
【００５０】
また、本実施形態のプリンタ装置１００によれば、凸部６１ａは、下側筐体５０内で第１当接部４９に連続して形成されたガイド部Ｇに沿って摺動可能に設けられていると共に、スタンド６０ａは、ねじりばね６５によりガイド部Ｇ側に付勢されている。そのため、例えば、互いに平行に配置された一対のガイド部の間で凸部６１ａを摺動させる構造でなくても、１つのガイド部Ｇに沿って凸部６１ａを摺動させることができるので、下側筐体５０の内部構造を簡略化することができる。
【００５１】
また、本実施形態のプリンタ装置１００によれば、スタンド６０ａの下端部には、凸部６１ａが一対設けられていると共に、下側筐体５０には、着脱機構Ｄが一対設けられているので、着脱機構Ｄによる凸部６１ａの挟み込みが二重になり、スタンド６０ａによる下側筐体５０への上側筐体７０の支持をより確実にすることができる。
【００５２】
また、本実施形態のプリンタ装置１００によれば、上側筐体７０には、スキャナ部８０が内蔵されているので、上側筐体７０が重くなっても、下側筐体５０に対する上側筐体７０の開閉をより安全に行うことができる。
【００５３】
《発明の実施形態２》
図６は、本実施形態のプリンタ装置の開けた状態の要部断面図である。なお、以下の各実施形態において、図１〜図５と同じ部分については同じ符号を付して、その詳細な説明を省略する。
【００５４】
上記実施形態１では、円柱状の凸部６１ａが下端部に設けられたスタンド６０ａを備えたプリンタ装置１００を例示したが、本実施形態では、四角柱状の凸部６１ｂが下端部に設けられたスタンド６０ｂを備えたプリンタ装置を例示する。
【００５５】
具体的に本実施形態のプリンタ装置は、下側筐体５０と、下側筐体５０にヒンジ部５５を介して連結された上側筐体７０と、上側筐体７０の下面に設けられたスタンド６０ｂとを備えている。
【００５６】
スタンド６０ｂは、図６に示すように、その上端部がヒンジ部５５の回転軸Ｓａに平行な回転軸Ｓｂを中心に回動可能に上側筐体７０の下面に固定されている。そして、スタンド６０ｂは、その下端部が下側筐体５０に係合して、上側筐体７０を支持するように構成されている。また、スタンド６０ｂは、図６に示すように、ねじりばね６５により正面側に付勢されている。
【００５７】
スタンド６０ｂの下端部の両側面には、図６に示すように、ヒンジ部５５の回転軸Ｓａに平行な方向に突出する凸部６１ｂがそれぞれ設けられている。ここで、凸部６１ｂは、図６に示すように、角部が面取りされた四角柱状に形成されている。
【００５８】
以上説明したように、本実施形態のプリンタ装置によれば、上記実施形態１と同様に、上側筐体７０を引き上げたときにスタンド６０ｂの下端部の凸部６１ｂを挟み込み、上側筐体７０を押し下げたときに凸部６１ｂの挟み込みを解除する着脱機構Ｄが下側筐体５０に設けられているので、下側筐体５０に対する上側筐体７０の開閉をより安全に行うことができる。
【００５９】
また、本実施形態のプリンタ装置１００によれば、スタンド６０ｂの下端部の凸部６１ｂは、角部が面取りされた四角柱状に形成されているので、第１当接部４９及び第２当接部５１の曲面状に形成された各当接面に対して、凸部６１ｂが略四角柱状に形成されていても、スタンド６０ｂの下端部に設けられた凸部６１ｂを収容空間Ｃの外内に滑らかに出入りさせることができる。
【００６０】
《発明の実施形態３》
図７〜図１０は、本発明に係る画像形成装置の実施形態３を示している。ここで、図７は、本実施形態のプリンタ装置の開けた状態の要部斜視図である。また、図８は、本実施形態のプリンタ装置を構成するスタンド６０ｃの正面図である。また、図９及び図１０は、本実施形態のプリンタ装置の閉じた状態及び開けた状態の要部断面図である。
【００６１】
上記実施形態１及び２では、凸部６１ａ及び６１ｂが下端部にそれぞれ設けられたスタンド６０ａ及び６０ｂを備えたプリンタ装置を例示したが、本実施形態では、凸部６１ａが下端部に設けられ、下降抑制部６２が下部に設けられたスタンド６０ｃを備えたプリンタ装置を例示する。
【００６２】
具体的に本実施形態のプリンタ装置は、下側筐体５０と、下側筐体５０にヒンジ部５５を介して連結された上側筐体７０と、上側筐体７０の下面に設けられたスタンド６０ｃとを備えている。
【００６３】
スタンド６０ｃは、図７に示すように、その上端部がヒンジ部５５の回転軸Ｓａに平行な回転軸Ｓｂを中心に回動可能に上側筐体７０の下面に固定されている。そして、スタンド６０ｃは、その下端部が下側筐体５０に係合して、上側筐体７０を支持するように構成されている。また、スタンド６０ｃは、図９及び図１０に示すように、ねじりばね６５により正面側に付勢されている。
【００６４】
スタンド６０ｃの下端部の両側面には、図７〜図１０に示すように、ヒンジ部５５の回転軸Ｓａに平行な方向に突出する凸部６１ａがそれぞれ設けられている。なお、スタンド６０ｃの下端部の凸部６１ａは、上記実施形態２の凸部６１ｂであってもよい。
【００６５】
スタンド６０ｃの下部には、図７、図８及び図１０に示すように、上側筐体７０を引き上げて着脱機構Ｄが凸部６１ａを挟み込んだときに下側筐体５０に形成された突出片５２に係合して、スタンド６０ｃの下降を抑制する下降抑制部６２が設けられている。ここで、下降抑制部６２は、図７〜図１０に示すように、側面視が断面Ｖ字状に形成され、そのＶ字をなす一対の傾斜面が下側筐体５０の突出片５２に接触し、図７及び図１０に示すように、上側筐体７０を引き上げたときに下側の傾斜面が突出片５２上に載るように構成されている。
【００６６】
以上説明したように、本実施形態のプリンタ装置によれば、上記実施形態１と同様に、上側筐体７０を引き上げたときにスタンド６０ｃの下端部の凸部６１ａを挟み込み、上側筐体７０を押し下げたときに凸部６１ａの挟み込みを解除する着脱機構Ｄが下側筐体５０に設けられているので、下側筐体５０に対する上側筐体７０の開閉をより安全に行うことができる。
【００６７】
また、本実施形態のプリンタ装置によれば、スタンド６０ｃには、下側筐体５０に対して上側筐体７０を開ける際に上側筐体７０を引き上げて着脱機構Ｄがその下端部の凸部６１ａを挟み込んだときに下側筐体５０の突出片５２に係合して、スタンド６０ｃの下降を抑制する下降抑制部６２が設けられている。そのため、下側筐体５０の着脱機構Ｄによるスタンド６０ｃの下端部に設けられた凸部６１ａの挟み込みと、下側筐体５０の突出片５２に対するスタンド６０ｃの下降抑制部６２の係合との双方により、上側筐体７０が下側筐体５０に支持されるので、スタンド６０ｃによる下側筐体５０への上側筐体７０の支持をより確実にすることができる。
【００６８】
《その他の実施形態》
なお、上記各実施形態では、画像形成装置として、スキャナ機能を有するプリンタ装置を例示したが、本発明は、複写機等の他の画像形成装置にも適用することができる。
【００６９】
また、上記各実施形態では、画像形成装置として、インクジェット方式のプリンタ装置を例示したが、本発明は、電子写真方式等の他の印字方式の画像形成装置にも適用することができる。
【００７０】
また、上記各実施形態では、スタンドの下端部に一対の凸部が設けられ、それに対応するように下側筐体に一対の着脱機構が設けられたプリンタ装置を例示したが、本発明は、スタンドの下端部に１つの凸部が設けられ、それに対応するように下側筐体に１つの着脱機構が設けられた画像形成装置にも適用することができる。
【００７１】
また、上記各実施形態では、筐体（上側筐体）の幅方向の片側にスタンドが１つ設けられたプリンタ装置を例示したが、本発明は、筐体（上側筐体）の幅方向の両側にスタンドが１つずつ設けられた画像形成装置にも適用することができる。
【産業上の利用可能性】
【００７２】
以上説明したように、本発明は、下側筐体と上側筐体とがヒンジ部を介して連結された開閉式の画像形成装置について有用である。
【符号の説明】
【００７３】
Ｃ        収容空間
Ｄ        着脱機構
Ｅ        出入口
Ｇ        ガイド部
Ｓａ，Ｓｂ    回転軸
４０      プリンタ部
４８      スリット
４９      第１当接部
５０      下側筐体
５１      第２当接部
５２      突出片
５５      ヒンジ部
６０ａ〜６０ｃ    スタンド
６１ａ，６１ｂ    凸部
６２      下降抑制部
６５      ねじりばね（弾性部材）
７０      上側筐体
８０      スキャナ部
１００    プリンタ装置（画像形成装置）
【図１】
2017177649.tif 000003
【図２】
2017177649.tif 000004
【図３】
2017177649.tif 000005
【図４】
2017177649.tif 000006
【図５】
2017177649.tif 000007
【図６】
2017177649.tif 000008
【図７】
2017177649.tif 000009
【図８】
2017177649.tif 000010
【図９】
2017177649.tif 000011
【図１０】
2017177649.tif 000012